(57)【要約】オゾン発生のために共振電源装置（３００）が提供される。電源装置（３００）は、オゾン発生器のコストを低減し信頼性を向上させる。電源装置（３００）は、第１のＡＣ電圧を、電力源（３２０）から共振回路（３３０）に提供し、第２のＡＣ電圧をオゾン発生ユニット（１１０）に提供する。第２のＡＣ電圧は第１のＡＣ電圧よりも高い。電源装置（３００）のためのコントローラ（３４０）が、共振回路の共振値に適応し、共振回路のＱが高い回路コンポーネントに広い公差を提供する。
2009505626.tif 000002
【特許請求の範囲】
【請求項１】
電源装置であって、
電力源と、
前記電力源に結合された共振回路と、
を備えており、前記電力源は第１のＡＣ電圧を前記共振回路に提供し、前記共振回路は第２のＡＣ電圧をオゾン発生ユニットによる使用のために提供し、前記第２のＡＣ電圧は前記第１のＡＣ電圧よりも高いことを特徴とする電源装置。
【請求項２】
請求項１記載の電源装置において、前記共振回路は、前記第１のＡＣ電圧に応答して、前記共振回路の共振周波数と実質的に近接した周波数を有する実質的な共振電圧を前記オゾン発生ユニットに与えることを特徴とする電源装置。
【請求項３】
請求項１記載の電源装置において、前記共振回路は、共振キャパシタと直列に結合された共振インダクタを含む直列共振回路であることを特徴とする電源装置。
【請求項４】
請求項３記載の電源装置において、前記共振キャパシタは、個別キャパシタ、前記オゾン発生ユニットの自然キャパシタ、又は、個別キャパシタと前記オゾン発生ユニットの自然キャパシタとの組合せであることを特徴とする電源装置。
【請求項５】
請求項３記載の電源装置において、前記共振回路は１０以上のＱ値（q factor）を有することを特徴とする電源装置。
【請求項６】
請求項１記載の電源装置において、前記共振回路は共振キャパシタと並列に結合された共振インダクタを含む並列共振回路であることを特徴とする電源装置。
【請求項７】
請求項６記載の電源装置において、前記共振キャパシタは、個別キャパシタ、前記オゾン発生ユニットの自然キャパシタ、又は、個別キャパシタと前記オゾン発生ユニットの自然キャパシタとの組合せであることを特徴とする電源装置。
【請求項８】
請求項１記載の電源装置において、前記電力源はハーフ・ブリッジ・インバータであることを特徴とする電源装置。
【請求項９】
請求項１記載の電源装置において、前記電力源はフル・ブリッジ・インバータであることを特徴とする電源装置。
【請求項１０】
請求項１記載の電源装置において、前記電力源はスイッチング電力源であることを特徴とする電源装置。
【請求項１１】
請求項１０記載の電源装置において、前記スイッチング素子はＭＯＳＦＥＴ、ＢＪＴ、又は、ＩＧＢＴであることを特徴とする電源装置。
【請求項１２】
請求項１記載の電源装置において、
前記電力源に前記第１のＡＣ電圧を変調させて前記第２のＡＣ電圧が所望の電圧値を有するようにする信号を前記電力源に提供するコントローラを更に含むことを特徴とする電源装置。
【請求項１３】
請求項１２記載の電源装置において、前記第１のＡＣ電圧はパルス幅変調を用いて変調されることを特徴とする電源装置。
【請求項１４】
請求項１２記載の電源装置において、前記第１のＡＣ電圧は周波数変調を用いて変調されることを特徴とする電源装置。
【請求項１５】
請求項１２記載の電源装置において、前記コントローラが信号を前記電力源に提供することにより、前記共振回路がその共振周波数において又はその近傍で動作することが可能になることを特徴とする電源装置。
【請求項１６】
請求項１５記載の電源装置において、前記コントローラは、前記共振回路の最大動作周波数に同調し、感知された入力ＤＣ電流と設定点の入力電流とを比較することにより、前記共振回路の共振周波数に近接し前記所望の動作レベルを取得することを特徴とする電源装置。
【請求項１７】
請求項１６記載の電源装置において、前記コントローラは、前記共振回路の最大動作周波数への自己同調の間は前記オゾン発生ユニットの共振電圧を制御し、感知された共振電流と設定点の共振電流とを比較することにより、前記共振回路の共振周波数に近接することを特徴とする電源装置。
【請求項１８】
オゾン発生のために電力を供給する方法であって、
電力源とオゾン発生ユニットとの間に共振回路を結合するステップと、
第１のＡＣ電圧を前記電力源から前記共振回路に提供するステップと、
第２のＡＣ電圧を前記共振回路から前記オゾン発生ユニットに提供するステップと、
を含んでおり、前記第２のＡＣ電圧は前記第１のＡＣ電圧よりも高いことを特徴とする方法。
【請求項１９】
請求項１８記載の方法において、
前記第１のＡＣ電圧に応答して、前記共振回路の共振周波数と実質的に近接した周波数を有する実質的な共振電圧を前記共振回路から前記オゾン発生ユニットに提供するステップを更に含むことを特徴とする方法。
【請求項２０】
請求項１８記載の方法において、
共振キャパシタと直列に共振インダクタを結合することにより直列共振回路を形成するステップを更に含むことを特徴とする方法。
【請求項２１】
請求項２０記載の方法において、前記共振キャパシタは、個別キャパシタ、前記オゾン発生ユニットの自然キャパシタ、又は、個別キャパシタと前記オゾン発生ユニットの自然キャパシタとの組合せであることを特徴とする方法。
【請求項２２】
請求項２０記載の方法において、前記共振回路は１０以上のＱ値（q factor）を有することを特徴とする方法。
【請求項２３】
請求項１８記載の方法において、
共振キャパシタと並列に共振インダクタを結合することにより並列共振回路を形成するステップを更に含むことを特徴とする方法。
【請求項２４】
請求項２３記載の方法において、前記共振キャパシタは、個別キャパシタ、前記オゾン発生ユニットの自然キャパシタ、又は、個別キャパシタと前記オゾン発生ユニットの自然キャパシタとの組合せであることを特徴とする方法。
【請求項２５】
請求項１８記載の方法において、前記電力源はハーフ・ブリッジ・インバータであることを特徴とする方法。
【請求項２６】
請求項１８記載の方法において、前記電力源はフル・ブリッジ・インバータであることを特徴とする方法。
【請求項２７】
請求項１８記載の方法において、前記電力源はスイッチング電力源であることを特徴とする方法。
【請求項２８】
請求項２７記載の方法において、前記スイッチング素子はＭＯＳＦＥＴ、ＢＪＴ、又は、ＩＧＢＴであることを特徴とする方法。
【請求項２９】
請求項１８記載の方法において、
信号を前記電力源に提供するステップと、
前記信号に応答し、前記第１のＡＣ電圧を変調して、前記第２のＡＣ電圧が所望の電圧値を有するようにするステップと、
を更に含むことを特徴とする方法。
【請求項３０】
請求項２９記載の方法において、前記第１のＡＣ電圧を変調するステップは、前記ＡＣ電圧のパルス幅変調を変調するステップを含むことを特徴とする方法。
【請求項３１】
請求項２９記載の方法において、前記第１のＡＣ電圧を変調するステップは、前記ＡＣ電圧の周波数を変調するステップを含むことを特徴とする方法。
【請求項３２】
請求項２９記載の方法において、前記電力源に提供された前記信号により、前記共振回路がその共振周波数において動作することが可能になることを特徴とする方法。
【請求項３３】
請求項３２記載の方法において、
前記共振回路の最大動作周波数に同調するステップと、
感知された入力ＤＣ電流と設定点の入力電流とを比較することにより、前記共振回路の共振周波数に近接し前記所望の動作レベルを取得するステップと、
を含むことを特徴とする方法。
【請求項３４】
請求項３３記載の方法において、
前記共振回路の最大動作周波数への同調の間は、前記オゾン発生ユニットの共振電圧を制御するステップと、
感知された共振電流と設定点の共振電流とを比較することにより、前記共振回路の共振周波数に近接するステップと、
を更に含むことを特徴とする方法。
【請求項３５】
オゾン発生のために電力を供給する方法であって、
複数の電力源と複数のオゾン発生ユニットとの間に複数の共振回路を結合するステップと、
第１のＡＣ電圧を前記複数の電力源のそれぞれから対応する共振回路に提供するステップと、
第２のＡＣ電圧をそれぞれの共振回路から対応するオゾン発生ユニットに提供するステップと、
を含んでおり、前記第２のＡＣ電圧は前記第１のＡＣ電圧よりも高いことを特徴とする方法。
【請求項３６】
オゾン発生のために電源装置であって、
複数の電力源と、
前記複数の電源と複数のオゾン発生ユニットとの間に結合された複数の共振回路と、
を含んでおり、前記複数の田園はそれぞれが第１のＡＣ電圧を対応する共振回路に提供し、対応する共振回路は第２のＡＣ電圧をそれぞれのオゾン発生ユニットに提供し、前記第２のＡＣ電圧は前記第１のＡＣ電圧よりも高いことを特徴とする電源装置。
【請求項３７】
オゾン発生のために電力を供給する方法であって、
電力源とオゾン発生ユニットとの間に共振回路を結合する手段と、
第１のＡＣ電圧を前記電力源から前記共振回路に提供する手段と、
第２のＡＣ電圧を前記共振回路から前記オゾン発生ユニットに提供する手段と、
を含んでおり、前記第２のＡＣ電圧は前記第１のＡＣ電圧よりも高いことを特徴とする方法。
【請求項３８】
電源装置であって、
電力源と、
前記電力源に結合された共振回路と、
前記共振回路に結合されたオゾン発生器と、
を含むことを特徴とする電源装置。
【請求項３９】
スイッチ・モードの電源装置であって、
Ｑが高い共振回路と、
前記Ｑが高い共振回路に結合されたコントローラであって、（ｉ）極端に高い値又は低い値から開始し、（ｉｉ）前記Ｑが高い共振回路の共振周波数に近接して所望のレベルの出力を取得し、（ｉｉｉ）共振コンポーネント値における広い公差を提供することにより、周波数を変調するコントローラと、
を含むことを特徴とする電源装置。
【発明の詳細な説明】
【背景技術】
【０００１】
オゾンは、ハイ・レベルの酸化を必要とする多数の応用例において有用である。例えば、オゾンは飲料水の消毒に役立ち、１９００年代の初め以来ずっと水処理に使用されている。より最近では、オゾンは半導体素子の処理に使用されてきた。半導体素子の処理におけるオゾンの１つの応用例は、ウエハにおいて絶縁膜を成長させる又は薄膜を酸化することにより、半導体ウエハの上に絶縁膜を形成することである。例えば、高品質ＳｉＯ２の高速積層による化学蒸着法は、ＴＥＯＳ／オゾン・プロセスを用いることによって、達成できる。
【０００２】
半導体素子処理におけるオゾンの別の応用例は、半導体ウエハと半導体処理装置の処理チャンバの洗浄に関するものである。オゾンは、特に、半導体ウエハの表面又は処理チャンバから炭化水素を取り除くのに特に役立つ。オゾンを用いた洗浄は、高価な処理を必要とする危険な化学薬品の使用を伴わないために、有利である。対照的に、オゾンは、残存物を生じることなく崩壊して酸素となるので、有毒廃棄物処理の問題を生じない。
【発明の概要】
【０００３】
オゾンは、いわゆる「無音放電原理」に従って、酸素から発生される。例えば、オゾンは、放電又は電束（フラックス）に高純度酸素を露出することにより発生することができる。放電又はフラックスは、酸素分子を励起し、それらを原子状態に分解する。次に、これらの原子は、オゾン（Ｏ３）と酸素（Ｏ２）との混合物として再結合する。
【０００４】
オゾン（Ｏ３）は、酸素をオゾン・セルを通過させることによって生じさせるのが通常である。オゾン・セルでは、酸素は電気放電の作用を受け、酸素分子の分解及び再結合によりオゾン分子が生じる。オゾン発生に必要な電気放電及び電束は、オゾン・セルにおける対向するプレートの両端に高電圧交流電力を与えることによって生じる。高電圧交流電力は、変圧器ベースの電力発振器から生じる。
【０００５】
変圧器ベースの電源（発振器）の短所は、典型的には、高コスト、限定的な信頼性、オ動作範囲の制限である。例えば、高コストは、典型的には、冷却と絶縁ために複数の巻線及び特別なポッティング要件を有する高圧変圧器のためである。限定的な信頼性とは、典型的には、自己発振器の幾何学的配置（トポロジ）と、ポッティング品質の依存性と単一ソースのユニークな部分の使用とによって生じる高電圧コロナとによる。制限出力電圧に関する動作範囲の制限は、典型的には、自己発振器のトポロジと、トランジスタのゲート駆動用の変圧器フィードバックの使用とによる。
【０００６】
本発明は、オゾン発生のための、変圧器を含まない高電圧電力発振器を含む電源を用いた電力供給方法及び装置に関する。本発明の実施例は、オゾン発生器のコストを低減させ、信頼性を増加させ、動作範囲を拡大する。
【０００７】
本発明の１つの実施例は、電源装置であって、電力源と、前記電力源に結合された共振回路と、を備えており、前記電力源は第１のＡＣ電圧を前記共振回路に提供し、前記共振回路は第２のＡＣ電圧をオゾン発生ユニットによる使用のために提供し、前記第２のＡＣ電圧は前記第１のＡＣ電圧よりも高いような電源装置を含む。前記共振回路は、前記第１のＡＣ電圧に応答して、前記共振回路の共振周波数と実質的に近接した周波数を有する実質的な共振電圧を前記オゾン発生ユニットに与える。
【０００８】
ある実施例では、前記共振回路は、共振キャパシタと直列に結合された共振インダクタを含む直列共振回路である。この共振キャパシタは、個別キャパシタ、前記オゾン発生ユニットの自然キャパシタ、又は、個別キャパシタと前記オゾン発生ユニットの自然キャパシタとの組合せである。前記共振回路は１０以上のＱ値（q factor）を有する。他の実施例では、前記共振回路は共振キャパシタと並列に結合された共振インダクタを含む並列共振回路である。この共振キャパシタは、個別キャパシタ、前記オゾン発生ユニットの自然キャパシタ、又は、個別キャパシタと前記オゾン発生ユニットの自然キャパシタとの組合せである。
【０００９】
前記電力源は、ハーフ・ブリッジ・インバータ、フル・ブリッジ・インバータ、、又は、スイッチング電力源でありうる。前記スイッチング素子は、ＭＯＳＦＥＴ、ＢＪＴ、又は、ＩＧＢＴでありうる。
【００１０】
この電源装置は、前記電力源に前記第１のＡＣ電圧を変調させて前記第２のＡＣ電圧が所望の電圧値を有するようにする信号を前記電力源に提供するコントローラを更に含むことがある。前記第１のＡＣ電圧は、パルス幅変調及び／又は周波数変調を用いて変調することができる。前記コントローラは、信号を前記電力源に提供することにより、前記共振回路がその共振周波数において又はその近傍で動作することが可能になる。前記コントローラは、前記共振回路の最大動作周波数に同調し、感知された入力ＤＣ電流と設定点の入力電流とを比較することにより、前記共振回路の共振周波数に近接し前記所望の動作レベルを取得することが可能になる。また、前記コントローラは、前記共振回路の最大動作周波数への自己同調の間は前記オゾン発生ユニットの共振電圧を制御し、感知された共振電流と設定点の共振電流とを比較することにより、前記共振回路の共振周波数に近接することが可能である。
【００１１】
本発明の実施例は、オゾン発生のための電源装置を含みうる。また、本発明の他の実施例は、反応性ガスの発生のための電源装置に応用することができる。
【００１２】
本発明の実施例の長所は、変圧器が不要となることにより、コストの削減、信頼性及びオゾン発生器の動作範囲の拡大が達成されることである。
【００１３】
変圧器の代わりにＱ値が高い共振回路（オゾン発生器の場合には、Ｑ値は１０以上）を用いるということは、回路の共振周波数ピークが狭いことを意味する。中心周波数は共振ピーク幅よりも広い公差を有する回路素子に依存するので、そのような回路の制御は問題となりうる。高いＱ値の共振回路を制御する回路により、オゾン発生器と共振電源との両方について効果が得られ、これは、他の応用例にも適用可能である。
【発明を実施するための最良の形態】
【００１４】
本発明の以上の及びそれ以外の目的、特徴及び効果は、本発明の好適実施例に関する印加のより詳細な説明から明らかになるはずである。図面は、寸法通りではなく、本発明の原理を図解することに重点がおかれている。
【００１５】
図１は、典型的なオゾン発生器１００を図解するダイアグラムである。オゾン発生器１００は、この出願ではオゾン・セル１１Ｏａ、・・・、１１０ｎと称されるオゾン発生ユニットのバンクを含んでいる。酸素（Ｏ２）は、オゾン（Ｏ３）及び酸素（Ｏ２）の混合物への変換のために、酸素入口１２０を介してそれぞれのオゾン・セル１１０に供給される。生じるオゾン混合物は、オゾン出口１３０を通って、オゾン発生器１００の外へ流れる。
【００１６】
オゾン・セル１１０のコンポーネントは、典型的には、対向する電極プレート（図示せず）と誘電性バリア（図示せず）とを含んでいる。誘電性バリアは、電極プレートの一方に対して配置され、誘電性バリアと対向する電極プレートとの間にチャネルを形成する。動作の際には、チャネルを通過する酸素（Ｏ２）は、放電による作用を受け、酸素原子を分解及び再結合してオゾン分子を生じさせる。放電又はフラックスを引き起こすため、高電圧交流（ＡＣ）電源が、それぞれのオゾン・セル１１０の対向する電極プレートの両端に加えられる。
【００１７】
高圧交流電源は、電力発振器１４０ａ、・・・、１４０ｎのバンクによって提供され、それぞれの発振器１４０が、対応するオゾン・セル１１０に電力を供給する。電力発振器１４０は、単相又は三相の交流線電圧１５２を、規制された直流電圧（Ｖｄｃ）に変換することができる共通の直流電源１５０に結合される。ここで、発振器１４０は、それぞれが、規制された直流電圧（Ｖｄｃ）を高電圧ＡＣ電力に変換し、これが、対応するオゾン・セル１１０に供給され、結果的に、オゾン発生に必要な放電又は電束が生じる。オゾン・セル１１０の典型的な実施例は、米国特許第５，９３２、１８０号で見つけることができる。この米国特許の全内容は、この出願に援用する。
【００１８】
一般に、電力発振器１４０は、高圧交流電源を発生する変圧器を使用して実現される。図２は、先行技術によるオゾン発生器の中で使用される、変圧器に基づいた電源２００を図解するダイアグラムである。図解されている電源２００は、直流電源２１０及び２つの追加的な段から構成されている。すなわち、（１）出力電力の調整用のバック・コンバータ２２０と、（２）オゾン・セル１１０の全体に高電圧交流電源を発生する変圧器２３２を含む自己発振プッシュプル・コンバータ２３０と、である。
【００１９】
図３は、１つの実施例による単一のオゾン・セル１１０におけるオゾン発生のための変圧器を含まない（transformer-less）電力発振器３１０を有する電源３００を図解するダイアグラムである。電力発振器３１０は、共振回路３３０に結合された電源３２０を含んでいる。共振回路３３０はオゾン・セル１１０に結合されている。電源３２０はスイッチング電力源でありうる。
【００２０】
動作の際には、電源３２０は、直流電圧源２１０からの規制された直流電圧（Ｖｄｃ）を、共振回路３３０に供給される第１の交流電圧に変換する。好ましくは、電源３２０からの第１の交流電圧は、共振回路３３０の共振周波数にほぼ近い周波数を有する。これに応答して、共振回路３３０は、実質的な共振的な第２の交流電圧をオゾン・セル１１０に与え、オゾン・セル１００において放電又はフラックスを生じさせる。このように、電源３２０に共振回路３３０を結合することによって、電源３００は、変圧器を用いずにオゾン・セル１１０におけるオゾン発生に必要な高電圧交流電源（第２の交流電圧）を提供することができる。
【００２１】
図３を参照すると、コントローラ３４０は、電源３２０に制御信号を提供して、電源３２０に第１の交流電圧の周波数及び／又はデューティ・サイクルを変調させ、その結果として、共振回路３３０が、所望の値を有する実質的に第２の交流共振電圧をオゾン・セル１１０に提供することになる。いくつかの実施例では、第２の共振交流電圧は３０ｋＨｚにおいて４．５ｋＶｐｋでありうる。
【００２２】
動作においては、コントローラ３４０は、基準電流ＲＥＦと電源３２０における感知された入力電流とを比較し、電源３２０に制御信号（ゲート制御信号）を送り、電源３２０の動作周波数又はデューティ・サイクルを調整して所望の大きさを得る。コントローラ３４０は、第１の交流電圧を、パルス幅変調及び／又は周波数変調を使用して変調することができる。いくつかの実施例では、コントローラ３４０は、電圧、電流、又は、その組合せを感知し、所望の共振電圧を決定し制御することができる。
【００２３】
図４は、特定の実施例による単一のオゾン・セル１１０におけるオゾン発生のための変圧器を含まない電力発振器４０４を有する電源４００を図解している。図解された実施例では、共振回路４２０は、共振キャパシタ４２４と直列に結合された共振インダクタ４２２を含む直列共振回路である。オゾン・セル１１０は、共振キャパシタ４２４と並列に結合されている。共振キャパシタ４２４は、個別のキャパシタ、オゾン・セル１１０の自然キャパシタンス、又は、その組合せでありうる。図解されている実施例では、電源４１０は、直列に接続された２つのスイッチング素子４１２ａ及び４１２ｂを含むハーフ・ブリッジ・インバータである。スイッチング素子４１２ａ、４１２ｂは、ＭＯＳＦＥＴ、ＢＪＴ、ＩＧＢＴ、及び／又は当技術の中で既知の他のタイプのスイッチング素子でもありうる。スイッチング素子４１２ａ及び４１１ｂの間の電気的接続は、共振回路４２０に接続される。電源４１０は、図８Ａ及び図８Ｂに示されるようなフル・ブリッジ・インバータでもよい。
【００２４】
動作の際には、直流電源２１０は、電源／ハーフ・ブリッジ・インバータ４１０に、規制された直流電圧（Ｖｄｃ）を供給する。コントローラ３４０からの制御信号は、ゲート・ドライバ５４０（図５Ａ及び５Ｂ）に与えられ、それにより、スイッチ４１２ａ及び４１２ｂがオン・オフし、結果的に、ハーフ・ブリッジ・インバータ４１０が、直列共振回路４２０の共振周波数にほぼ近い周波数を有する第１の交流電圧を供給する。特に、共振回路４２０に加えられた第１の交流電圧は、制御されたデューティ・サイクルを備えた方形波パルスになりうる。制御信号は、更に、ハーフ・ブリッジ・インバータ４１０のデューティ・サイクルを変更し、オゾン・セル１１０に加えられた第２の共振する交流電圧の大きさを変更することができる。ハーフ・ブリッジ・インバータ４１０からの最初の交流電圧を受け取ることに応答して、直列共振回路４２０は、オゾン・セル１１０の全体に共振的な又は実質的に第２の交流電圧を提供し、セルの中に放電又はフラックスが提供されて、酸素（Ｏ２）のオゾン（Ｏ３）へ変換が達成される。特に、共振回路４２０は、制御されたデューティ・サイクルを備えた印加された方形波パルスを、制御された振幅を有する高電圧正弦波に変換する。１つの実施例によれば、第２の共振交流電圧の周波数の値は、３０ｋＨｚにおいて約４．５ｋＶｐｋである。
【００２５】
酸素（Ｏ２）に対するオゾン（Ｏ３）の比率は、オゾン・セル１１０に供給された電力の値に左右される。オゾン・セル１１０に加えられた電力は、オゾン・セル１１０に与えられた電圧に比例して増加し、上述したように、基準信号ＲＥＦに従ってコントローラ３４０によって統制される。このように、ハーフ・ブリッジ・インバータ４１０の動作周波数又はデューティ・サイクルを変更することによって、コントローラ３４０は、オゾンの濃縮を変更することができる。更に、共振周波数は、インダクタンス及びキャパシタンスがたとえ僅かであっても変化すると、変化する。このように、共振回路４２０は、変圧器の必要をなくすために、高いＱ値（１０以上）を有さなくてはならない。よって、コントローラ３４０は、共振する構成要素の変動とは独立でなければならない。
【００２６】
図５Ａ及び５Ｂは、コントローラ５００の実施例の詳細な回路図を示す。コントローラ５００の主なコンポーネントは、パルス幅変調された集積回路（ＰＷＭ  ＩＣ）５１０と、第１の演算／誤差増幅器５２０と、第２の演算／誤差増幅器５３０と、ゲート・ドライバ回路５４０と、第１の抵抗５５０及び第２の抵抗５６０とである。
【００２７】
図５Ａは、周波数変調されたコントローラ５００’の１つの実施例を示している。動作においては、演算増幅器／誤差増幅器５２０は、感知されたＤＣ入力電流５２２と設定点のＤＣ電流５２４とを比較する。抵抗５５０及び５６０は、ＰＷＭ  ＩＣ５１０の周波数を制御する。誤差増幅器５２０の出力は、それを引き上げるかプルアップ又はプルダウンすることにより、抵抗５５０を通過して流れる電流を制御し、コントローラ５１０の周波数を制御する。コントローラ５００’は、誤差増幅器５２０によって発生された初期周波数が共振回路４２０（図４）の最大動作周波数であることを保証する自動同調回路を含んでいる。
【００２８】
同調回路は、抵抗５２６と、キャパシタ５２８と、誤差増幅器５２０の感知された入力における小さなオフセット電圧を含んでいる。動作の際には、同調回路が電力を供給する場合、ＤＣ電流の設定値５２４は、抵抗５２６及びキャパシタ５２８によって作成された遅延を有しながら、ゼロからその設定値までゆっくりと増加する。その時点で、誤差増幅器５２０のオフセット電圧は、誤差増幅器によって発生された周波数が回路の最大動作周波数であることを保証する。最大共振周波数は、共振回路素子の最大公差とスイッチ点デバイスの容量とを考慮することにより、決定される。
【００２９】
図６は、設定値電力と共振周波数との間の関係を示すグラフを示す。示されているように、設定値電力が増加するにつれて、パルス幅変調周波数は、その最大値からその最大電力に向かって減少し始める。すなわち、パルス幅変調周波数は、共振曲線上で移動し、最大電力を達成する。
【００３０】
オゾン・セル１１０電圧は最大電力用への周波数の自動同調の間に非常に高い電圧まで上昇することがありうるので、オゾン・セル１１０電圧を制御することは重要である。よって、コントローラ５００’は、第２の演算増幅器／誤差増幅器５３０を含む。誤差増幅器５３０は、感知された共振電流５３２と設定値共振電流とを比較することにより、オゾン・セル１１０の共振電圧を制御する。
【００３１】
共振電流は、パルス幅変調の使用により制御することができる。図５Ｂは、パルス幅変調コントローラ５００”のある１つの実施例を示している。パルス幅変調制御装置５００”の動作は、上述した周波数変調されたコントローラ５００’の動作に類似している。
【００３２】
図７は、本発明のある１つの実施例による複数のオゾン・セル１１０ａ、・・・、１１０ｎにおけるオゾン発生のための、変圧器を含まない複数の電力発振器４０４ａ、・・・、４０４ｎを有する電源６００を図解している。図解されている実施例では、規制された直流電圧（Ｖｄｃ）（例えば、約４００Ｖ）が、既知のフル・ブリッジ高周波コンバータ６１０によって提供される。高周波コンバータ６１０は、整流器ステージ６１２と、フル・ブリッジ・スイッチング段６１４と、変圧器段６１６と、フィルタ段６１８を含む。当業者に知られていた他の回路を用いて、規制された直流電圧を提供することも可能である。電力発振器４０４ａ、・・・、４０４ｎは、対応するオゾン・セル１１０ａ、・・・、１１０ｎに結合され、高電圧交流電源を提供する。それぞれの発振器４０４は、共振回路４２０に結合された電源４１０を含んでいる。図解されている実施例では、電源４１０は、ＭＯＳＦＥＴスイッチング素子４１２ａ及び４１２ｂを用いて実現されるハーフ・ブリッジ・インバータである。当業者には既知である他のスイッチング素子を利用することもある。また、ハーフ・ブリッジ発振器や、フル・ブリッジ発振器や、他の既知のデバイスを混合した実装も可能である。図解されている実施例の動作は、図１及び４に関して上述した動作と類似する。
【００３３】
図８Ａ及び８Ｂは、他の特定の実施例による単一型のオゾン・セル１１０におけるオゾン発生のための変圧器を含まない電力発振器を有する電源７００を図解するダイアグラムである。両方の実施例で、電源７１０は、４つのスイッチング素子７１２ａ、７１２ｂ、７１２ｃ、７１２ｄが図示されているように結合されたフル・ブリッジ・コンバータとして実装される。
【００３４】
図８Ａに示されるように、電圧源２１０は、フル・ブリッジ・コンバータ７１０に、規制された直流電圧（Ｖｄｃ）を供給する。フル・ブリッジ・コンバータ７１０は、共振キャパシタ７２４と直列に結合された共振インダクタ７２２を有する直列共振回路７２０に結合されている。共振回路７２０は、図示されているように、オゾン・セル１１０に結合されている。
【００３５】
図８Ｂに示されるように、電流源７３０は、フル・ブリッジ・コンバータ７１０に、規制されたＤＣの流れ（Ｉｄｃ）を供給する。フル・ブリッジ・コンバータ７１０は、共振キャパシタ７４４と並列に結合された共振インダクタ７４２を有する並列共振回路７４０に結合されている。共振回路７４０は、示されているように、オゾン・セル１１０に結合される。
【００３６】
いずれの実施例でも、共振キャパシタは、個別のキャパシタ、オゾン・セル１１０の自然キャパシタンス、又は、個別キャパシタ及びセルの自然キャパシタンスの両方の組合せである。
【００３７】
以上では、本発明を好適実施例を参照しながら示し説明したが、形式及び詳細における様々な変更は、特許請求の範囲に記載され阿本発明の範囲から逸脱することなく可能であることは、当業者には自明である。
【図面の簡単な説明】
【００３８】
【図１】典型的なオゾン発生器の図解である。
【図２】従来技術によるオゾン発生器において用いられる変圧器ベースの電源装置を図解する図である。
【図３】本発明のある１つの実施例による単一オゾン・セルにおけるオゾン発生のための変圧器を含まない（transformer-less）電力発振器を有する電源装置の図解である。
【図４】本発明の特定の実施例による単一オゾン・セルにおけるオゾン発生のための変圧器を含まない電力発振器を有する電源装置の図解である。
【図５−Ａ】周波数変調コントローラのある１つの実施例の詳細な回路図である。
【図５−Ｂ】パルス幅変調コントローラのある１つの実施例の詳細な回路図である。
【図６】設定点電力と共振周波数との間の関係を示すグラフである。
【図７】ある１つの実施例による複数オゾン・セルにおけるオゾン発生のための変圧器を含まない複数の電力発振器を有する電源装置の図解である。
【図８−Ａ】他の実施例による単一オゾン・セルにおけるオゾン発生のための変圧器を含まない電力発振器を有する電源装置の図解である。
【図８−Ｂ】他の実施例による単一オゾン・セルにおけるオゾン発生のための変圧器を含まない電力
【図１】
2009505626.tif 000003
【図２】
2009505626.tif 000004
【図３】
2009505626.tif 000005
【図４】
2009505626.tif 000006
【図５−Ａ】
2009505626.tif 000007
【図５−Ｂ】
2009505626.tif 000008
【図６】
2009505626.tif 000009
【図７】
2009505626.tif 000010
【図８−Ａ】
2009505626.tif 000011
【図８−Ｂ】
2009505626.tif 000012
【国際調査報告】
2009505626.tif 000013
2009505626.tif 000014